(57)【要約】      （修正有）【課題】基板を嵌め込んだ後に、爪にはストレスが生じないようにすることができる固定構造を提供する。【解決手段】筐体には、筐体の底面と側面とにより形成される角部に設けられ係止部として機能する爪部７が設けられ、基板には、爪部７と協同して筐体と基板とを固定する被係止部として機能する少なくとも一対の切り欠け部が設けられる。爪部７は、一対の切り欠け部に略係合する位置に設けられた一対の戻り防止リブ２３ａ、２３ｂと、一対の切り欠け部に挿入する際には基板の端部に当接して戻り防止リブ２３ａ、２３ｂを幅方向に押し広げて一対の切り欠け部に係合可能な状態とし、一対の切り欠け部から抜き出す際には基板の端部に当接せずに戻り防止リブ２３ａ、２３ｂの拡がりを狭めて一対の切り欠け部以外の端面に当接することにより一対の切り欠け部に係合不能な状態とするように変形を助ける基板固定爪部２４を有する。【選択図】図３
2008311314.tif 000002
【特許請求の範囲】
【請求項１】
上部に開口を有する筐体と板状の基板との固定構造であって、
前記筐体には、筐体の底面と側面とにより形成される角部に設けられ係止部として機能する爪部が設けられ、
前記基板は、前記爪部と協同して筐体と基板とを固定する被係止部として機能し、基板奥方向に向けて内側に入る少なくとも一対の切り欠け部を有し、
前記爪部は、前記一対の切り欠け部に略係合する位置に設けられた一対の戻り防止リブと、前記一対の切り欠け部に挿入する際には前記基板の端部に当接して前記戻り防止リブを幅方向に押し広げて前記一対の切り欠け部に係合可能な状態とし、前記一対の切り欠け部から抜き出す際には前記基板の端部に当接せずに前記戻り防止リブの拡がりを狭めて前記一対の切り欠け部以外の端面に当接することにより前記一対の切り欠け部に係合不能な状態とするように変形を助ける基板固定爪部を有することを特徴とする固定構造。
【請求項２】
前記基板固定爪部は、前記爪部の前記基板側に設けられ、下方に向けて基板側に近づく傾斜面を有し、該傾斜面を基板側から押すと前記基板と反対方向に移動可能に構成されていることを特徴とする請求項１に記載の固定構造。
【請求項３】
前記基板固定爪部は、前記傾斜面に続き、前記筐体と前記基板との固定時に前記基板上面と当接する位置に設けられる底面を有することを特徴とする請求項２に記載の固定構造。
【請求項４】
さらに、前記爪部は、前記筐体の底面から起立する前記底面の一辺の延在する方向にある距離だけ離れて形成された足部であって、前記基板固定爪部が基板により押されると、前記基板の方向と前記基板と離間する方向とに向けて弾性変形により傾動する足部を有することを特徴とする請求項１から３までのいずれか１項に記載の固定構造。
【請求項５】
さらに、前記筐体の底板から立ち上がり、前記基板固定爪部の底面と対向する位置に設けられ、その上面が基板の下面に当接することにより基板を下方から固定する基板受けリブを有することを特徴とする請求項１から４までのいずれか１項に記載の固定構造。
【請求項６】
前記爪部は、一体の成形品であることを特徴とする請求項１から５までのいずれか１項に記載の固定構造。
【発明の詳細な説明】
【技術分野】
【０００１】
本発明は、基板と筐体との固定構造に関し、特に爪を利用した固定構造に関する。
【背景技術】
【０００２】
基板と筐体との固定構造としては種々の提案がなされている。特に、爪を利用することにより、ネジ止めなどを少なくし、道具を用いずに固定、固定解除を行うことができる構造は便利であるため、多くの提案がなされている。
【０００３】
図９は、このような構造の一例を示す図である（特許文献１参照）。図９に示す構造においては、基板１１４を、筐体の側面に設けられた凹部１１７に嵌め込んだ場合に、基板１１４を底面１０１ａ側から上方へ押す板バネ１０９ａを設けている。
【０００４】
【特許文献１】実開平４−１１９２０８号公報
【発明の開示】
【発明が解決しようとする課題】
【０００５】
しかしながら、上記図９に示す構造においては、基板１１４に対して常にストレスが掛かるため、温度変化や時間経過により板バネ１０９ａが弾性を失い機能しなくなる可能性がある。また、素材の降伏点を越える重量を持ち上げることが出来ないという問題がある。
【０００６】
本発明は、基板を嵌め込んだ後に、爪にはストレスが生じないようにすることを目的とする。また、大型の機器にも適用可能な固定構造を提供することを目的とする。
【課題を解決するための手段】
【０００７】
本発明の一観点によれば、上部に開口を有する筐体と板状の基板との固定構造であって、前記筐体には、筐体の底面と側面とにより形成される角部に設けられ係止部として機能する爪部が設けられ、前記基板は、前記爪部と協同して筐体と基板とを固定する被係止部として機能し、基板奥方向に向けて内側に入る少なくとも一対の切り欠け部を有し、前記爪部は、前記一対の切り欠け部に略係合する位置に設けられた一対の戻り防止リブと、前記一対の切り欠け部に挿入する際には前記基板の端部に当接して前記戻り防止リブを幅方向に押し広げて前記一対の切り欠け部に係合可能な状態とし、前記一対の切り欠け部から抜き出す際には前記基板の端部に当接せずに前記戻り防止リブの拡がりを狭めて前記一対の切り欠け部以外の端面に当接することにより前記一対の切り欠け部に係合不能な状態とするように変形を助ける基板固定爪部を有することを特徴とする固定構造が提供される。
【０００８】
前記基板固定爪部は、前記爪部の前記基板側に設けられ、下方に向けて基板側に近づく傾斜面を有するとともに、該傾斜面を基板側から押されると前記基板と反対方向に移動可能に構成されていることが好ましい。前記基板を下方に移動させると、基板の端部が前記傾斜面を押しながら滑り、前記戻り防止リブを幅方向に押し広げる。
【０００９】
前記基板固定爪部は、前記傾斜面に続き前記基板上面と当接する位置に設けられる底面を有することが好ましい。さらに、前記爪部は、前記筐体の底面から起立する前記底面の一辺の延在する方向にある距離だけ離れて形成された足部であって、前記基板固定爪部が基板により押されると、前記基板の方向と前記基板と離間する方向とに向けて弾性変形により傾動する足部を有するようになっていても良い。足部は対になっていても良い。さらに、前記筐体の底板から立ち上がり、前記基板固定爪部の底面と対向する位置に設けられ、その上面が基板の下面に当接することにより基板を固定する基板受けリブを有していても良い。前記爪部は、一体の成形品で形成可能である。
【発明の効果】
【００１０】
本発明によれば、基板の固定／取り外しが容易である。固定構造の寿命も長い。また、ビス止めが不要なため環境に優しく低コストで実現が可能であるという利点もある。
【発明を実施するための最良の形態】
【００１１】
以下に、本発明の一実施の形態による固定構造について図面を参照しながら説明を行う。図１は、本実施の形態による固定構造のうち、筐体側の一構成例を示す斜視図である。図１に示すように、本実施の形態による固定構造は、筐体１と、この筐体１の底面１ａと側面との角部に設けられる爪部７と、基板保持部５と、を有している。図２は、図１に示す筐体１に加えて、この筐体１に固定される対象である基板１１を示す図である。基板１１は、筐体１と略同じ大きさを有しており、種々の電子部品１１ａが設けられている。筐体１と基板１１とを固定する場合には、符号Ｌ１に示すように、両者を近づけていく。
【００１２】
図３は、爪部７の詳細な構成例を示す図である。図３（Ａ）は、静止した状態（力が加わっていない状態）における外観構成例を示す図である。図３（Ａ）に示すように、爪部７は、底板１ａ上に起立しある距離だけ離されて形成される２本の足部２７ａ、２７ｂを有している。足部２７ａ・２７ｂは、底板１ａの辺部近傍に設けられ、辺部に沿う方向に長く、辺部と垂直の方向に短く形成されており、例えばプラスチックなどの弾性を有する部材により形成されることで、辺部に垂直な方向に傾くことができるようになっている。
【００１３】
足部２７ａ・２７ｂは、上方において辺部に平行な連結部２１により繋がっている。この連結部２１の辺部方向の中央付近には、ある程度の幅を持ちこれと垂直な方向に弾性変形により傾くことができる基板固定爪部２４が設けられている。この基板固定爪部２４は、静止した状態で辺部と反対側に下方に向けて辺部と反対側に向かう傾斜をもつ傾斜面２５を有しているとともに、下方にやや広めの底面２５ａを有している。
【００１４】
この基板固定爪部２４の下方には、基板受けリブ２９が底面１ａから上記底面２５ａの下方まである距離だけ離れて設けられている。この基板受けリブ２９は、基板を固定した際に、その底面を基板受けリブ２９の上面により支えるとともに、高さ方向の位置決め機能を有している。
【００１５】
さらに、足部２７ａ・２７ｂの上部の両側端部には、それぞれ、辺部と略垂直方向に突出する戻り防止リブ２３ａ・２３ｂが設けられている。戻り防止リブ２３ａ・２３ｂの詳細な構造については後述する。爪部７は一体成形品として製造可能である。
【００１６】
図３（Ｂ）に示すように、基板固定爪部２４は、傾斜面２５を押すと符号Ｌ２の方向（辺部方向）に向けて回動（傾動）するようになっている。
【００１７】
また、図４（Ａ）、（Ｂ）に示すように、基板１１には、切り欠け部３１ａ・３１ｂが設けられており、その切り欠け面の傾斜は、上記の戻り防止リブ２３ａ、２３ｂの内側への微傾斜角度と略一致している。但し、戻り防止リブ２３ａ、２３ｂの傾斜面の角度は、基板固定爪部２４の位置によって変わるようになっている。基板固定爪部２４が押されていくと、戻り防止リブ２３ａ・２３ｂは横方向に広がっていき、切り欠け部３１ａ・３１ｂにうまく挿入できるように構成されている。一端挿入されると、図４（Ａ）、（Ｂ）に示すように、基板固定爪部２４の位置が変化しても、戻り防止リブ２３ａ・２３ｂは、内側から広げる方向に力が働くため（Ｌ４・Ｌ３）、戻り防止リブ２３ａ、２３ｂが切り欠け部３１ａ・３１ｂから外れないようになっている。従って、基板１１は筐体１にしっかりと固定される。尚、戻り防止リブ２３ａ・２３ｂと切り欠け部３１ａ・３１ｂとは、固定位置において完全に嵌合していなくても係止していれば良いため、両者に対してかかる応力は小さくなり、部材が劣化しないという利点もある。
【００１８】
加えて、任意に設けられる基板受けリブ２９により、固定位置において、基板１１の垂直方向の位置を保持させるための基板受けリブ２９の上面に基板１１の下面が接するようになっているため、基板１１はより安定して保持されることになる。
【００１９】
図５は、爪部７が基板１１との係止動作を示す図である。図５に示すように、基板１１を、筐体１の上方から徐々に下方へ移動させていく。ここで、戻り防止リブ２３ａ・２３ｂと、切り欠け部３１ａ・３１ｂと、が係合するような位置において下方へ移動させる。すると、基板固定爪部２４の傾斜面２５が基板１１の端面に当接する。さらに基板１１を下方へ移動させると、基板固定爪部２４の傾斜面２５は基板１１の端面によって押圧され、弾性変形により基点を中心に回転しながら基板面の反対側に押しやられる。最終的には、基板固定爪部２４の傾斜面２５から基板１１の端面が抜け、図６に示すように、基板固定爪部２４が弾性復帰してＬ５の方向に戻り、その底面２５ａが基板１１の上面を滑り、完全に弾性復帰した状態で静止する。この状態は、他の爪部７においても同様になり、筐体１と基板１１との固定構造が形成される。この固定構造では、固定箇所（戻り防止リブ２３ａ・２３ｂと、切り欠け部（３１ａ・３１ｂ）にかかる応力がほとんど無いため、安定した固定ができるとともに、固定構造の寿命を長くすることができる。
【００２０】
次に、図７（Ａ）及び図７（Ｂ）を参照しながら、筐体１と基板１１との固定を解除する動作について説明する。図６に示す状態から、図７（Ａ）に示すように、基板固定爪部２４の傾斜部２５を外側に押すと（Ｌ８）、底面２５ａと基板上面１１ａとが滑りながら、そして、戻り防止リブ２３ａ・２３ｂと、切り欠け部３１ａ・３１ｂと、が係合しながら解除方向に滑りながら移動していく。この際、戻り防止リブ２３ａ・２３ｂには符号Ｌ６・Ｌ７で示すような外側に広がる方向の力が働く。
【００２１】
そして、図７（Ｂ）に示すように、戻り防止リブ２３ａ・２３ｂと、切り欠け部３１ａ・３１ｂと、の係合が完全に解除されると、それまで横方向に広げられていた戻り防止リブ２３ａ・２３ｂが、幅が狭まる方向に弾性復帰し、基板固定爪部２４が押されない限り、戻り防止リブ２３ａ・２３ｂの先端部２３ａ−１、２３ｂ−１と基板の端面２１ａ・２１ｂとが当接し（符号Ｐ１）、戻り防止リブ２３ａ・２３ｂが切り欠け部３１ａ・３１ｂ内に挿入できないように構成されている。従って、再び、基板１１を上方から下方へ移動させる動作を行わない限り、簡単には係合しないため、基板を引き出す際にひっかかることがなく、引き出しやすくなっている。
【００２２】
図８（Ａ）は、筐体１全体に対して基板１１が嵌る直前の状態を示す図であり、図８（Ｂ）は、完全に嵌った状態を示す全体図である。図８（Ｂ）の状態で、１つ１つの基板固定爪部２４の傾斜面２５を押すことにより爪部７を外していくと、全ての爪部７が外れるまで上記の戻り防止機構により再び嵌ってしまうことがなく、簡単に、例えば１本の手でも順番に外していくことができ、便利である。
【００２３】
以上に説明したように、本実施の形態による固定構造によれば、基板の固定／取り外しが容易である。また、ビス止めが不要なため環境に優しく低コストで実現することができるという利点がある。
【００２４】
尚、上記では、プロジェクターを例にして説明したが、プロジェクターの他にも、液晶テレビジョン受信機、パーソナルコンピュータなど多くの電子機器や光学機器などの機器の固定構造として利用することが可能である。
【産業上の利用可能性】
【００２５】
本発明は、電子機器の固定構造として利用可能である。
【図面の簡単な説明】
【００２６】
【図１】本実施の形態による固定構造のうち、筐体側の一構成例を示す斜視図である。
【図２】図１に示す筐体１に加えて、この筐体に固定される対象である基板を示す図である。
【図３】爪部の詳細な構成例を示す図である。
【図４】切り欠け部と戻り防止リブとの関係を示す図である。
【図５】爪部が基板と係止する動作を示す図である。
【図６】図５に続く図である。
【図７Ａ】図６の状態から、筐体と基板との固定を解除する動作を示す図である。
【図７Ｂ】図６の状態から、筐体と基板との固定を解除する動作を示す図である。
【図８】筐体全体に対して基板が嵌る様子を示す図である。
【図９】特許文献１に記載された固定構造の一例を示す図である。
【符号の説明】
【００２７】
１…筐体、１ａ…底面、５…基板保持部、７…爪部、１１…基板、１１ａ…基板上面、２７ａ、２７ｂ…足部、２１…連結部、２４…基板固定爪部、２５…傾斜面、２５ａ…底面、２９…基板受けリブ、２３ａ・２３ｂ…戻り防止リブ。
【図１】
2008311314.tif 000003
【図２】
2008311314.tif 000004
【図３】
2008311314.tif 000005
【図４】
2008311314.tif 000006
【図５】
2008311314.tif 000007
【図６】
2008311314.tif 000008
【図７Ａ】
2008311314.tif 000009
【図７Ｂ】
2008311314.tif 000010
【図８】
2008311314.tif 000011
【図９】
2008311314.tif 000012